(57)【特許請求の範囲】
【請求項１】
原稿画像を入力する入力手段と、
前記入力手段から入力される原稿画像を画像情報としてジョブ毎に複数記憶可能な記憶手段と、
前記記憶手段に記憶された画像情報に基づいて記録媒体に画像を出力する出力手段と、
前記記憶手段から前記出力手段に出力すべき各ジョブの出力順序を管理する管理手段と、
前記出力手段の障害状態を監視する監視手段と、
前記監視手段の監視結果に基づいて実行中のジョブを停止させ、前記管理手段に管理される出力順序を一時的に変更して前記出力手段で出力可能なジョブを前記出力手段に出力するとともに前記出力可能なジョブの出力完了に応じて前記監視手段による監視に基づき停止させたジョブの出力の可否を判定し、出力可能であれば出力を行わせる制御手段と、
前記監視手段の監視結果に基づき前記制御手段によりジョブが停止された理由及び前記障害状態の回復手順を表示する表示手段と、
を有することを特徴とする画像処理装置。
【請求項２】
出力中のジョブが停止した場合に、他のジョブを優先実行する優先モードを指定する指定手段を有し、前記指定手段により前記優先モードが指定されている場合に、前記制御手段が前記管理手段に管理される出力順序を一時的に変更して前記出力手段で出力可能なジョブを前記出力手段に出力することを特徴とする請求項１記載の画像処理装置。
【請求項３】
前記出力手段は、複数のユニットを組合せてシステム接続可能とすることを特徴とする請求項１記載の画像処理装置。
【請求項４】
前記監視手段は、各ユニットの動作状態を監視することを特徴とする請求項３記載の画像処理装置。
【請求項５】
前記複数のユニットのいずれか１つは記録媒体を搬送するための搬送経路を複数備える給紙ユニットであることを特徴とする請求項３記載の画像処理装置。
【請求項６】
前記複数のユニットのいずれか１つは画像処理された記録媒体に所定の後処理を行うための搬送経路を複数備える後処理ユニットであることを特徴とする請求項３記載の画像処理装置。
【請求項７】
前記後処理ユニットは、画像処理された記録媒体にステイプル処理を行うことを特徴とする請求項６記載の画像処理装置。
【請求項８】
前記後処理ユニットは、画像処理された記録媒体を綴じ込む製本処理を行うことを特徴とする請求項６記載の画像処理装置。
【請求項９】
前記後処理ユニットは、画像処理された記録媒体を仕分けるソータ処理を行うことを特徴とする請求項６記載の画像処理装置。
【請求項１０】
前記後処理ユニットは、画像処理された記録媒体を折る処理を行うことを特徴とする請求項６記載の画像処理装置。
【請求項１１】
前記後処理ユニットは、画像処理された記録媒体を積載する処理を行うことを特徴とする請求項６記載の画像処理装置。
【請求項１２】
前記制御手段は、前記監視手段の監視結果に基づいて実行中のジョブを停止させ、前記記憶手段に最大空き領域を確保可能なジョブを優先出力するように前記管理手段に管理される出力順序を一時的に変更することを特徴とする請求項１記載の画像処理装置。
【請求項１３】
前記監視手段は、前記出力装置の搬送経路上における記録媒体の搬送ジャムを監視することを特徴とする請求項１記載の画像処理装置。
【請求項１４】
前記監視手段は、前記出力装置内の消耗材切れ状態を監視することを特徴とする請求項１記載の画像処理装置。
【請求項１５】
前記監視手段は、指定されたサイズの記録媒体有無を監視することを特徴とする請求項１記載の画像処理装置。
【請求項１６】
前記監視手段は、記録媒体の積載場所の積載量を監視することを特徴とする請求項１記載の画像処理装置。
【請求項１７】
原稿画像を入力する入力手段と、前記入力手段から入力される原稿画像を画像情報としてジョブ毎に複数記憶可能な記憶手段と、前記記憶手段に記憶された画像情報に基づいて記録媒体に画像を出力する出力手段と、所定の情報を表示する表示手段とを有する画像処理装置のジョブ処理方法において、
前記出力手段の障害状態を監視する監視工程と、
該監視結果に基づいて実行中のジョブを停止させる停止工程と、
該ジョブ停止時に、前記出力手段で出力可能なジョブ有無を判別する判別工程と、
該判別結果に基づいて前記記憶手段に記憶される後続のジョブを先行させる処理工程と、
前記停止工程でジョブを停止させた場合、この停止の理由及び前記障害状態の回復手順を前記表示手段に表示させる工程と、
前記処理工程により先行させたジョブの出力完了に応じて前記停止させたジョブの出力の可否を判定し、出力可能であれば出力を行わせる制御工程と、
を有することを特徴とする画像処理装置のジョブ処理方法。
【発明の詳細な説明】
【０００１】
【発明の属する技術分野】
本発明は、入力される原稿画像情報をジョブ毎に管理記憶する記憶部を備える画像処理装置および画像処理装置のジョブ処理方法に関するものである。
【０００２】
【従来の技術】
従来、例えばファクシミリ機能，画像ファイル機能，プリンタ機能，コピー機能のいずれかまたは組合せた複合機能を実行可能な複合処理システムが提案されており、該複合処理システムには、大容量画像記憶媒体を備えて、各複合処理毎の出力情報をジョブ単位に管理して出力処理を制御している。
【０００３】
この場合において、画像記憶媒体に蓄積されたジョブ情報を出力させる場合、所定の順位または設定された優先順位に従ってジョブ情報の出力を管理している。
【０００４】
これにより、複数のジョブ情報が出力待ちとなり、待ち行列をつくることが考えられ、このスケジューリングは、システム全体の生産性に大きく影響すると考えられる。
【０００５】
しかし、従来はこのジョブ情報のスケジューリングに関してはあまり積極的な処理がなされていない。
【０００６】
【発明が解決しようとする課題】
このため、複合画像処理システムにおいて、消耗品等の不足が発生した場合、例えばトナー切れ等が発生した場合、その消耗品を用いずに処理できるジョブ情報が蓄積されていたとしても、一度システム全体を停止させ、消耗品の補給を行わなければ当該ジョブ情報の処理を行えなかった。
【０００７】
同様に、他の消耗品、例えば使用するサイズの用紙の不足が発生した時などには他の給紙トレイ内のサイズ紙でプリント出力可能なジョブが内部に蓄積されているとしても次のジョブは始まらず、さらに、他の消耗品、例えばステイプル針が切れた場合も補給待ちとなってしまう。
【０００８】
このように複合画像処理システムの機能が強化されるにつれて、一部の消耗品切れによる影響がシステム全体に波及してシステム全体の生産性を著しく落としてしまい、大幅な時間の無駄となってしまう等の問題点があった。
【０００９】
本発明は、上記の問題点を解消するためになされたもので、本発明に係る第１の発明〜第１７の発明の目的は、複数の画像情報をジョブとして記憶管理して画像出力を処理する際に、出力手段に障害状態に基づいて、実行中のジョブを停止した後、実行可能なジョブを優先的に出力させるように各ジョブの出力順序を制御し、また、ジョブを停止させた場合、この停止の理由及び障害状態の回復手順を表示させ、前記優先出力させたジョブの出力完了に応じて前記停止させたジョブの出力の可否を判定し、出力可能であれば出力を行わせることにより、ジョブ停止時の出力資源を使用して出力可能に蓄積されているジョブを遅延することなく出力してジョブ処理効率を格段に向上できる画像処理装置および画像処理装置のジョブ処理方法を提供することである。
【００１０】
【課題を解決するための手段】
本発明に係る第１の発明は、原稿画像を入力する入力手段と、前記入力手段から入力される原稿画像を画像情報としてジョブ毎に複数記憶可能な記憶手段と、前記記憶手段に記憶された画像情報に基づいて記録媒体に画像を出力する出力手段と、前記記憶手段から前記出力手段に出力すべき各ジョブの出力順序を管理する管理手段と、前記出力手段の障害状態を監視する監視手段と、前記監視手段の監視結果に基づいて実行中のジョブを停止させ、前記管理手段に管理される出力順序を一時的に変更して前記出力手段で出力可能なジョブを前記出力手段に出力するとともに前記出力可能なジョブの出力完了に応じて前記監視手段による監視に基づき停止させたジョブの出力の可否を判定し、出力可能であれば出力を行わせる制御手段と、前記監視手段の監視結果に基づき前記制御手段によりジョブが停止された理由及び前記障害状態の回復手順を表示する表示手段とを有するものである。
【００１１】
本発明に係る第２の発明は、出力中のジョブが停止した場合に、他のジョブを優先実行する優先モードを指定する指定手段を有し、前記指定手段により前記優先モードが指定されている場合に、前記制御手段が前記管理手段に管理される出力順序を一時的に変更して前記出力手段で出力可能なジョブを前記出力手段に出力するものである。
【００１２】
本発明に係る第３の発明は、前記出力手段は、複数のユニットを組合せてシステム接続可能とするものである。
【００１３】
本発明に係る第４の発明は、前記監視手段は、各ユニットの動作状態を監視するものである。
【００１４】
本発明に係る第５の発明は、前記複数のユニットのいずれか１つは記録媒体を搬送するための搬送経路を複数備える給紙ユニットとするものである。
【００１５】
本発明に係る第６の発明は、前記複数のユニットのいずれか１つは画像処理された記録媒体に所定の後処理を行うための搬送経路を複数備える後処理ユニットとするものである。
【００１６】
本発明に係る第７の発明は、前記後処理ユニットは、画像処理された記録媒体にステイプル処理を行うものである。
【００１７】
本発明に係る第８の発明は、前記後処理ユニットは、画像処理された記録媒体を綴じ込む製本処理を行うものである。
【００１８】
本発明に係る第９の発明は、前記後処理ユニットは、画像処理された記録媒体を仕分けるソータ処理を行うものである。
【００１９】
本発明に係る第１０の発明は、前記後処理ユニットは、画像処理された記録媒体を折る処理を行うものである。
【００２０】
本発明に係る第１１の発明は、前記後処理ユニットは、画像処理された記録媒体を積載する処理を行うものである。
【００２１】
本発明に係る第１２の発明は、前記制御手段は、前記監視手段の監視結果に基づいて実行中のジョブを停止させ、前記記憶手段に最大空き領域を確保可能なジョブを優先出力するように前記管理手段に管理される出力順序を一時的に変更するものである。
【００２２】
本発明に係る第１３の発明は、前記監視手段は、前記出力装置の搬送経路上における記録媒体の搬送ジャムを監視するものである。
【００２３】
本発明に係る第１４の発明は、前記監視手段は、前記出力装置内の消耗材切れ状態を監視するものである。
【００２４】
本発明に係る第１５の発明は、前記監視手段は、指定されたサイズの記録媒体有無を監視するものである。
【００２５】
本発明に係る第１６の発明は、前記監視手段は、前記出力装置内の満載による積載不可能状態を監視するものである。
【００２６】
本発明に係る第１７の発明は、原稿画像を入力する入力手段と、前記入力手段から入力される原稿画像を画像情報としてジョブ毎に複数記憶可能な記憶手段と、前記記憶手段に記憶された画像情報に基づいて記録媒体に画像を出力する出力手段と、所定の情報を表示する表示手段とを有する画像処理装置のジョブ処理方法において、前記出力手段の障害状態を監視する監視工程と、該監視結果に基づいて実行中のジョブを停止させる停止工程と、該ジョブ停止時に、前記出力手段で出力可能なジョブ有無を判別する判別工程と、該判別結果に基づいて前記記憶手段に記憶される後続のジョブを先行させる処理工程と、前記停止工程でジョブを停止させた場合、この停止の理由及び前記障害状態の回復手順を前記表示手段に表示させる工程と、前記処理工程により先行させたジョブの出力完了に応じて前記停止させたジョブの出力の可否を判定し、出力可能であれば出力を行わせる制御工程とを有するものである。
【００２７】
【発明の実施の形態】
〔第１実施形態〕
図１は、本実施形態の第１実施形態を示す複合画像処理システムの構成を説明する概略断面図である。
【００２８】
図において、１は画像記録部（以下、プリンタ部と称する）、２は画像読取部（以下、リーダ部）、３は操作部（以下オペレータコントロールユニット（ＯＣＵ））、４は転写紙給紙部（給紙部）、７は製本装置、８は仕分け装置（ソータ）である。リーダ部２は原稿を読取位置まで給送する原稿給送装置（以下、ＡＤＦ）２００と、原稿画像を光学的に読み取るスキャナ２５０から構成されている。このリーダ部２の具体的な動作説明については後述する。
【００２９】
ＯＣＵ３はディスプレイおよび操作用キーボード（あるいはタッチパネル式ディスプレイ）で構成されており、枚数設定，部数設定，画像の編集，加工などユーザが行う様々な設定の入力と、選択されたモード，マシンの状態を示す表示が行われる。後述する動作可能優先モードの選択もこのＯＣＵ３から行われる。
【００３０】
給紙部４は転写紙を収納する転写紙収納トレイ４０１、転写紙を搬送する転写紙搬送部４０２から構成され、ＯＣＵ３から入力されたジョブの画像形成に必要な転写紙を給紙トレイから選択し、プリンタ部１に送る。
【００３１】
また、プリンタ部１はリーダ部２で読み取った画像あるいは、コンピュータ端末や、ファクシミリなど様々な外部機器（図示せず）から送られてくる画像情報を可視像化し、給紙部４から給紙された転写紙に印刷する。
【００３２】
このプリンタ部１には大容量プリントバッファメモリ（以下、ＰＢＭ）１５（後述する図７に示す）を備えており、後述する原稿給送装置（ＡＤＦ）２００から入力された原稿画像情報や外部入力機器から送られてきた画像情報を蓄積し、蓄積後にページ入れ替えなどのソーティングを行う。プリンタ部１の具体的な動作説明についても後述する。
【００３３】
製本装置７はプリンタ部１で記録媒体に記録された出力紙を整合し、製本処理する。仕分け装置８はプリンタ部１で記録媒体に記録された出力紙を装置内の各ビン上に仕分けする。以下、図１における基本的な画像処理動作について説明する。
【００３４】
ユーザがリーダ部２のＡＤＦ２００上に原稿をセットし、ＯＣＵ３でモードの設定および複写開始を指定すると、ＡＤＦ２００は原稿を１枚ずつ給送しスキャナ２５０で読み取る。スキャナ２５０では露光された原稿画像を後述する図２に示すＣＣＤラインセンサ１１１で光電変換し電気信号として読み取る。読み取られた画像信号は後述する図４に示す画像処理部１１で各種の処理を施された後、圧縮処理されプリンタ部１の後述する図７に示すＰＢＭ１５に転送される。
【００３５】
プリンタ部１では先述したＯＣＵ３からのユーザ設定に応じてＰＢＭ１５から画像が順次読み出され、読み出された画像は感光体露光のための光信号に変換される。以下は通常の電子写真プロセスの帯電，露光，潜像，現像，転写，分離，定着工程を経て記録媒体上に記録される。該記録された媒体は製本装置７により丁合，積載、もしくは製本装置７の下流への搬送路を通り、仕分け装置８により仕分け，積載される。
【００３６】
以下、図２を参照して図１に示したリーダ部２の構成および動作について詳細に説明する。
【００３７】
図２は、図１に示したリーダ部２の構成を説明する断面図であり、リーダ部２は、大別してＡＤＦ２００とスキャナ２５０とから構成されている。
【００３８】
図において、２０１は原稿を積載する原稿トレイ、２０２は原稿露光およびその反射光を受け取る第１ミラー台、２０３は流し読み原稿読取位置、２０４はブックモードスキャン読取位置、２０５は給紙部、２０６は流し読み原稿読取位置２０３までの搬送路、２０７は流し読み原稿読取位置２０３で読み取った片面原稿を排出する搬送路、２０８は流し読み原稿読取位置２０３で読み取った原稿の裏面を、再び流し読み原稿読取位置２０３に搬送するための搬送路、２０９は原稿裏面を流し読み原稿読取位置２０３で読み取った後、排出する搬送路である。また、２１０はレンズで、原稿の反射画像をＣＣＤラインセンサ１１１に結像させる。
【００３９】
ここで、流し読み原稿読取とは第１ミラー台２０２を流し読み原稿読取位置２０３に固定したまま、原稿トレイ２０１から送られる原稿を読取位置上を移動させることによりスキャンする方式のことである。２１１は搬送路２０６内の待機ポジション、２１２は搬送路２０８内の待機ポジションである。これらは後述するプリントバッファメモリＰＢＭ１５の状態に応じて搬送路内に原稿を停止させる時の位置で、紙検知センサ通過時間と搬送速度より位置制御が行われる。
【００４０】
原稿の流れは搬送路につけられた矢印方向に沿って搬送される。ここで原稿裏面を読み取る場合は表面を読み取った画像の鏡像画像となって読み取られてしまう。その鏡像画像を正像画像に直すための処理については後述の図４に示す画像処理部１１とともに説明する。
【００４１】
なお、図中の実線矢印が片面原稿の流し読み、点線矢印が両面原稿の流し読み搬送方向を示している。
【００４２】
この流し読み原稿読取方式に対し、ブックモードスキャン時には読取位置２０４上に置かれた原稿を動かさず、第１ミラー台２０２および第２ミラー台などの光学機器を移動させながらスキャンすることにより原稿を読み取る。
【００４３】
いずれも原稿に対し読取部が相対的に動いていくことにより原稿を走査することで、読み取る。原稿露光による反射光はレンズ２１０を通過した後ＣＣＤ１１１上に投影され、光電変換される。
【００４４】
図２に示す構成では、搬送路２０６は縦送り（ポートレート送り）のＡ４原稿が２枚分が入る長さで構成されている。また、搬送路２０８も同様、縦送り（ポートレート送り）のＡ４原稿が２枚分が入る長さで構成されており、搬送路２０６，２０８ともＡ３横送り（ランドスケープ送り）の場合は１枚入る。なお、本実施形態において、原稿トレイ２０１上に置かれる原稿は原稿表面を上側に、また先頭ページが一番上に積載されるフェースアップ先頭ページ処理である。片面流し読みの際には実線矢印に沿って順次原稿が読み取られていくが、両面流し読みの際ハーフサイズ原稿（Ａ４縦，Ｂ５縦，Ａ５縦）は異なる紙送りシーケンスを取る。
【００４５】
ハーフサイズ原稿は２枚ずつ給紙し、流し読み原稿読取位置２０３で読み取られた２枚を搬送路２０８を介して裏面読み取りを行う。そして裏面読取の２枚目の読取終了と同時に、次の２枚の原稿の表面読み取りが始まるシーケンスを取る。
【００４６】
すなわち、図３に示すように原稿は１ページ目表，２ページ目表，１ページ目裏，２ページ目裏，３ページ目表，４ページ目表，３ページ目裏・・・という順序で読み取られていく。
【００４７】
図３は、図２に示したＡＤＦ２００の両面原稿読取り時の搬送経路を示す模式図である。
【００４８】
図において、１Ａ，２Ａはそれぞれ１枚目表，２枚目表の原稿画像であり、１Ｂ，２Ｂは１枚目裏，２枚目裏の原稿画像である。本実施形態のＡＤＦ２００は原稿トレイ２０１に置かれた原稿は再び原稿トレイ２０１上に戻ることはない、すなわち非循環式原稿給送装置である。また、給紙部２０５，搬送路２０６，２０７，２０８，２０９は独立的に駆動可能な構成をとっており、個々に駆動，停止および速度制御が可能である。
【００４９】
なお、ＡＤＦ２００の制御はＯＣＵ３からの指定およびマシンの状態に基づいて図４に示すコントローラ１２３が制御する。
【００５０】
次に、図４を参照して読み取った画像データに対する画像処理部１１を詳細に説明する。
【００５１】
図４は、図１に示したリーダ部２の画像処理部１１の構成を説明するブロック図である。以下、構成および動作について説明する。
【００５２】
原稿読取位置にきた原稿の反射光１００をラインセンサ（ＣＣＤ）１１１で受光し、光電変換することによってＲＧＢの電気信号を発生させる。ここで作られた画像信号はアナログ／ディジタル（Ａ／Ｄ）変換部１１０で増幅後、ディジタル画像信号に変換される。ディジタル化されたＲＧＢ信号はシェーディング／色変換部１１３で黒補正，白補正（シェーディング補正），色補正（マスキング）の処理を行うことで正規化および標準化される。そして、標準化されたＲＧＢ信号は２色分離部１１４で輝度／濃度変換および黒赤２色分離処理を行い、黒画像信号（データ）１１５と赤画像信号（データ）１１６を作り出す。これ以降の処理は黒画像信号用と赤画像信号用の各々独立した回路構成になっており並列して行われる。
【００５３】
１６５，１６６はセレクタで、外部から入力される外部黒画像データ１６７，外部赤画像データ１６８と前記黒画像データ１１５，赤画像データ１１６との入力切り換えをする。
【００５４】
次のフイルタ回路１１７，１１８では画像読み取り時のＭＴＦ（Modulation Transfer function：変調伝達関数）低下を回復させるためと、網点原稿読み取り時に発生するモアレパターンを弱めるためのフイルタリングを行う。
【００５５】
ページメモリ１１９，１２０では最大Ａ３サイズまでの画像を１ページ分記憶できるだけの容量を持つ。双方向原稿フィーダによって読み取られた画像は正方向読み取りに対して逆方向読取画像は鏡像画像として読み取られる。ここで鏡像として読み取られた画像をさらに鏡像処理を行うことで正像に変換する制御を行うのが、このページメモリ１１９，１２０である。
【００５６】
また、画像の特定エリアを他の場所に移動するＣｕｔ＆Ｐａｓｔｅ機能（図５の（ａ）原稿画像６１０，処理画像６１１参照）を実現するための処理や、複数枚の入力原稿画像を次段の変倍／解像度変換回路１２５，１２６で５０％に縮小して、４枚の画像を１枚の用紙上に形成する縮小レイアウト機能（図５の（ｂ）参照）等も、コントローラ１２３からのメモリ制御信号１２４によってページメモリ１１９，１２０上で行われる。
【００５７】
変倍回路１２５，１２６では前述した縮小レイアウト機能実現時だけではなく通常の画像サイズ変換を行う。画像装飾処理部１２７，１２８では図６に示すように原稿画像６２０に対してエリア指定を行うことでネガポジ反転処理６２１，網掛け処理６２２，画像部への網乗せ処理６２３等の機能を実現する。
【００５８】
濃度変換テーブル１２９，１３０はプリンタのリニアリティ特性を補正するためのガンマ変換と操作部から使用者が入力した濃度調整レベルを画像データに反映させるための処理を行う。ここまでの画像データは８ビットの２５６階調信号であるが、階調数変換（誤差拡散）処理部１３１，１３２ではプリンタ部１で表現できる４ビット１６階調の画像信号（黒画像データ１３３，赤画像データ１３４）に変換する。この階調数変換時に生じる濃度むらをある面積でみたときにキャンセルするために誤差を拡散する。以上が画像処理部１１で行われる画像信号処理である。また、１６０は圧縮予測部、１２２，１６１はバス、１６２は制御信号であり、詳細は後述する。
【００５９】
次に、図７を参照してプリントするための大量ページの画像を記憶するＰＢＭ１５を説明する。
【００６０】
図７は、図４に示した画像処理部１１から出力される黒画像データ１３３，赤画像データ１３４を蓄えるプリンタバッファメモリ（ＰＢＭ）１５の構成を説明するブロック図である。以下、構成および動作について説明する。
【００６１】
ＰＢＭ１５に入力される黒画像データ１３３，赤画像データ１３４は圧縮部１５０，１５３の可変長可逆圧縮方式の圧縮処理によってコード化される。可変長可逆とは圧縮時のデータ量はその入力画像によって異なるが伸張処理後には入力画像と全く同じものを復元できる性質を持ち、ＪＰＥＧ等の固定長非可逆圧縮方式と対比されるものである。可変長可逆圧縮方式はＭＨ，Ｑ−ＣＯＤＥＲ，Ｌｅｍｐｅｌ  Ｚｉｖ等の方式があるがどれでも構わない。
【００６２】
１５１，１５４はＰＢＭ１５の中のメモリ部（ＤＲＡＭ）で、半導体メモリまたはハードディスクと、それらのアドレッシングを行うコントロール部分で構成される。
【００６３】
先述した図５（ｂ）のパンフレットモード（１・Ｎページ，２・Ｎ−１ページ，・・・それぞれを１ページ内に構成する）等のページ入れ替えを行うときは、このメモリ部１５１，１５４内のアドレッシングをコントロールすることで実現する。
【００６４】
そして、プリントアウトする画像はメモリ部１５１，１５４から読み出し、伸張処理部１５２，１５６で再び元の画像データに復元される。ここでの読み出しタイミングは黒画像データ１３５は黒画像形成に必要なタイミングで、赤画像データ１３６は赤画像形成に必要なタイミングで独立で読み出される。
【００６５】
このメモリ部１５１，１５４の画像データは基本的に全てのジョブを記憶する。以下、図８を参照してメモリ部１５１，１５４のメモリマップについて説明する。
【００６６】
図８は、図７に示したメモリ部１５１，１５４のメモリマップを説明する図である。
【００６７】
図８の（ａ）において、５００２は現在プリント中のコピージョブで１５０ページの原稿を１００部コピーするものである。１〜１５０ページまでを１部ずつ順番に読み出した後プリントアウトし、その後フィニッシング処理を行っている。５００３は次に行うジョブとして待機しているもので、外部機器から要求されたプリンタジョブで５０ページ６０部をフィニッシングするジョブである。さらに、５００４は２００ページ５０部というコピージョブで、画像読取を行っている途中である。ここでは、メモリ部１５１がフル状態になり読み取り動作は一時的に中断することになる。
【００６８】
その間、コピージョブ５００２は継続して行われ、最終部の１００部目を１〜１５０ページ迄プリントすると同時に、出力済みの画像は記憶しておく必要がなくなり、待機中のコピージョブ５００４の画像に順次置き換えていく。
【００６９】
そして、コピージョブ５００２が終了した時点で、順番を待っていたプリンタジョブ５００３のプリントが開始する。
【００７０】
図８の（ｂ）において、５００６はメモリ部１５１の空いた部分を示しており、メモリ容量の許す限り他のジョブの入力（記憶）を行うことができる。
【００７１】
以下、図４に示した圧縮率予測部１６０の圧縮率予測処理について詳述する。
【００７２】
圧縮率予測部１６０ではコントローラ１２３からバス１６１を介して得た画像の装飾情報（図６では網かけ、図５の（ａ）では部分的な移動など）、変倍情報（図５の（ｂ）では縮小レイアウトなど）、さらには選択された濃度変換テーブル１２９，１３０、誤差拡散処理（１／２／４ビット）などＣＣＤラインセンサ１１１で得られ、階調数変換（誤差拡散）処理部１３１，１３２による処理がなされるまでの処理情報を利用して予測の精度向上を計っている。
【００７３】
通常は画像情報の統計量（圧縮率と相関の高く、簡単な演算で求まる画像の濃度平均値、エントロピーなど）に簡単な演算を施したものを予測値とする。ここで用いる演算、あるいは係数は、処理情報に応じて変える。
【００７４】
例えば予測のために画像の濃度平均値を使い、さらに予測値に変換するため、下記第（１）式を使用したとすると、
予測値＝画像の濃度平均値＊ａ＋ｂ・・・・・・（１）
画像の処理情報に応じて決まる係数ａ，ｂをコントローラ１２３が、図示しないＲＡＭテーブルを参照しバス１６１を介して圧縮率予測部１６０に伝える。画像の領域の濃度平均値が「４０」、処理に応じた係数ａ，ｂがそれぞれ「０．０１，０．１」であったとすると、圧縮率予測は下記第（２）式に基づいて得られる。
【００７５】
予測値＝４０＊０．０１＋０．１＝０．５・・・・（２）
これは圧縮後のデータ量が圧縮前のデータ量の１／２という予測である。コントローラ１２３はバス１２２を介して得た圧縮率予測をもとに制御信号１６２により前述したような制御を行う。
【００７６】
次に、図９を参照して、図１に示した製本装置７の構成について説明する。
【００７７】
図９は、図１に示した製本装置７の構成を説明する断面図である。
【００７８】
図９において、５０は整合部、５１はテープ収納部、５２はヒータ部、５３は製本済み束搬送部、５４はスタッカ部、５５は下流のフィニッシャへの水平搬送部である。
【００７９】
６０は転写紙搬入口、６１は搬送路選択フラッパであり、搬入口から入ってきた転写紙をＯＣＵ３から入力されたジョブ内容により下流のフィニッシャに送るため、水平搬送部５５に送るか整合部５０へ送るかの選択を行う。
【００８０】
６２は整合トレイであり、搬送路選択フラッパ６１により整合部５０に送られた転写紙をこの整合トレイ６２上で積載・整合を行う。整合が終わるとグリッパ６３で束をつかみヒータ部５２に送る。
【００８１】
６４はテープ収納リールであり、これには製本するために熱により溶け、接着可能な糊が片面に塗布されたテープがリールに巻かれ収納されている。テープは製本する束のサイズに合った長さにカッタ（図示せず）により切断され、搬送路（図示せず）によりヒータ部５２のテープ待機位置６５に送られる。このとき、テープの糊面は束側となる。ヒータ部５２は、テープが待機位置６５に送られ、束がグリッパ６３につかまれた後、センタヒータ６６がテープ面に付き、一定時間プレヒートを行う。
【００８２】
そして、プレヒートが終了したら、束をテープ位置まで搬送し、サイドヒータ６７で束側面に対する接着を行う。
製本済み束搬送部５３は、製本された束をグリッパ６３から受け取りスタッカ部５４へ運び積載を行う。
【００８３】
以上の手順に従って製本動作を行い、装置内のスタッカに積載する。
【００８４】
次に、図１０を参照して、図１に示した仕分け装置８の構成について説明を行う。
【００８５】
図１０は、図１に示した仕分け装置８の構成を説明する断面図である。
【００８６】
図において、７０は転写紙搬入口、７１は転写紙積載ビン、７２は転写紙の積載ビン指定用のフラップ群である。
【００８７】
搬入口７０から転写紙が入ってくると図１に示したＯＣＵ３から入力されたジョブの内容により、積載するビンに転写紙が入るようにフラッパ群７２が動作する。転写紙は各搬送ローラにより搬送され、指定したビンに積載されて行く。動作はコントローラ手段（図示せず）で制御され、ジョブの内容により各仕分け動作が可能である。
【００８８】
以下、図１１を参照して、図７に示したプリンタバッファメモリ（ＰＢＭ）１５のメモリアクセス制御動作について説明する。
【００８９】
図１１は、図７に示したプリンタバッファメモリ（ＰＢＭ）１５のメモリアクセス制御回路の一例を示す要部ブロック図であり、図７と同一のものには同一の符号を付してある。以下、構成および動作について説明する。
【００９０】
例えばＣＰＵ，ＲＡＭ，ＲＯＭ等を備えるコントローラ１２３はシステム情報７００１（例えば転写紙給紙部内の転写紙の有無，製本テープの残量，ステイプル針の有無など）を常に監視している。このシステム情報７００１とＰＢＭ１５内のＤＲＡＭ１５１，１５４からのジョブ情報７００２とを比較し、ジョブが可能と判断したならば画像を出力させるための画像出力信号７００３および画像出力処理を行うための制御信号７００４を出す。
【００９１】
以下、本実施形態と第１〜第１６の発明の各手段との対応及びその作用について図１，図１１等を参照して説明する。
【００９２】
第１の発明は、原稿画像を入力する入力手段（リーダ部２）と、前記入力手段から入力される原稿画像を画像情報としてジョブ毎に複数記憶可能な記憶手段（プリントバッファメモリ１５）と、前記記憶手段に記憶された画像情報に基づいて記録媒体に画像を出力する出力手段（プリンタ部１）と、前記記憶手段から前記出力手段に出力すべき各ジョブの出力順序を管理する管理手段（コントローラ１２３が図８に示したように各ジョブの出力順序を管理している）と、前記出力手段の画像処理状態を監視する監視手段（図示しない各種センサ出力をシステム情報７００１に基づいてコントローラ１２３がシステムの動作状態を監視する）と、前記監視手段の監視結果に基づいて実行中のジョブを停止させ、前記管理手段に管理される出力順序を一時的に変更して前記出力手段で出力可能なジョブを前記出力手段に出力する制御手段（コントローラ１２３が図示しないＲＯＭ等の記憶された制御プログラムを実行してプリントバッファメモリ１５に記憶された各ジョブの出力を制御している）とを有し、プリンタ部１の画像処理状態をシステム情報７００１に基づいて監視し、画像処理を継続できない障害が発生していると判別した場合に、コントローラ１２３が実行中のジョブを停止させ、管理される各ジョブの出力順序を一時的に変更してプリンタ部１で出力可能なジョブを出力するので、記憶された後続のジョブを遅延することなく出力させることができる。
【００９３】
第２の発明は、前記指定手段（ＯＣＵ３）により前記優先モードが指定されている場合に、コントローラ１２３が管理される各ジョブの出力順序を一時的に変更してプリンタ部１で出力可能なジョブを前記出力手段に出力するので、優先モードを指定した場合に、ユーザが意図する記憶された後続のジョブを遅延することなく出力させることができる。
【００９４】
第３の発明は、複数のユニットを組合せてシステム接続可能とするプリンタ部１で出力可能なジョブを出力するので、各ユニットの組合せで可能なジョブを出力させることができる。
【００９５】
第４の発明は、前記監視手段（コントローラ１２３）は、各ユニットの動作状態を監視するので、ジョブを停止させる要因となるユニットと他のジョブを出力させることが可能なユニットとを識別することができる。
【００９６】
第５の発明は、前記複数のユニットのいずれか１つは記録媒体を搬送するための搬送経路を複数備える給紙ユニット（転写紙給紙部４）とするので、いずれかの給紙ユニットに給送不能となる要因が発生しても、他の給紙ユニットから他のジョブが要求する記録媒体を給送することができる。
【００９７】
第６の発明は、前記複数のユニットのいずれか１つは画像処理された記録媒体に所定の後処理を行うための搬送経路を複数備える後処理ユニットとするので、後処理不能となる要因が発生しても、後処理無しとする他のジョブの要求を先行して処理させることができる。
【００９８】
第７の発明は、前記後処理ユニット（ステイプラ付きの仕分け装置８）は、画像処理された記録媒体にステイプル処理を行うので、ステイプル処理が不能となる要因が発生しても、ステイプル処理無しとする他のジョブの要求を先行して処理させることができる。
【００９９】
第８の発明は、前記後処理ユニット（製本装置７）は、画像処理された記録媒体を綴じ込む製本処理を行うので、製本処理が不能となる要因が発生しても、製本処理無しとする他のジョブの要求を先行して処理させることができる。
【０１００】
第９の発明は、前記後処理ユニット（仕分け装置８）は、画像処理された記録媒体を仕分けるソータ処理を行うので、ソータ処理が不能となる要因が発生しても、ソータ処理無しとする他のジョブの要求を先行して処理させることができる。
【０１０１】
第１０の発明は、前記後処理ユニット（仕分け装置８）は、画像処理された記録媒体を折る処理（例えばＺ折り等）を行うので、折り処理不能となる要因が発生しても、折り処理無しとする他のジョブの要求を先行して処理させることができる。
【０１０２】
第１１の発明は、前記後処理ユニット（仕分け装置８）は、画像処理された記録媒体を積載する処理を行うので、記録媒体を積載する処理が不能となる要因が発生しても、記録媒体を積載する処理無しとする他のジョブの要求を先行して処理させることができる。
【０１０３】
第１２の発明は、前記制御手段（コントローラ１２３）は、システム情報７００１の監視結果に基づいて実行中のジョブを停止させ、プリントバッファメモリ１５に最大空き領域を確保可能なジョブを優先出力するように管理される各ジョブの出力順序を一時的に変更するので、記憶された後続するジョブを遅延することなく出力するとともに、後続するジョブの入力要求を受け付けることができる。
【０１０４】
第１３の発明は、前記監視手段（コントローラ１２３）は、前記出力装置の搬送経路上における記録媒体の搬送ジャムを監視するので、搬送ジャムによりジョブが停止しても、他のジョブの出力するための搬送経路の有無を判別することができる。
【０１０５】
第１４の発明は、前記監視手段（コントローラ１２３）は、前記出力装置内の消耗材（ステイプラ，製本テープ等）切れ状態を監視するので、補給可能な消耗材切れに基づいてジョブが停止しても、消耗材を使用しない他のジョブの有無を判別することができる。
【０１０６】
第１５の発明は、前記監視手段（コントローラ１２３）は、指定されたサイズの記録媒体有無を監視するので、指定されたサイズの記録媒体切れによりジョブが停止しても、当該指定サイズとは異なるサイズを指定して給送可能な他のジョブの有無を判別することができる。
【０１０７】
第１６の発明は、前記監視手段（コントローラ１２３）は、前記出力装置内に積載不可能状態を監視するので、記録媒体を積載場所に積載不可能によりジョブが停止しても、当該積載場所とは異なる積載場所を指定して積載可能な他のジョブの有無を判別することができる。
【０１０８】
次に、図１２，図１３を参照して本発明に係る画像処理装置の第１のジョブ処理動作について説明する。
【０１０９】
図１２は、図１に示したＯＣＵ３に表示されるジョブ処理順序変更指示画面の一例を示す図である。
【０１１０】
この図に示すように、ＯＣＵ３上に必要なサイズの転写紙の要求ウインドウ２０００１が表示される。確認の意味であるＯＫボタン２０００３位置に触れることにより、要求ウインドウ２０００１は消去され、補給位置表示ウインドウ２０００２が表示される。ユーザはこのウインドウ内の補給位置２０００４に対応した転写紙補給位置に用紙を補給することになる。
【０１１１】
図１３は、本発明に係る画像処理装置の第１のジョブ処理手順の一例を示すフローチャートである。なお、（１）〜（９）は各ステップを示し、例えば当該ジョブに必要なサイズの転写紙が転写紙収納トレイ４０１になくなったときの処理に対応する。
【０１１２】
先ず、コントローラ１２３は、動作中および動作開始時に転写紙収納トレイ４０１中にジョブの処理に必要なサイズの紙の有無をシステム情報７００１の監視状態から判定し（１）、ＮＯならばそのまま待機し、ＹＥＳ、すなわち、転写紙収納トレイ４０１中にジョブの処理に必要なサイズの紙がなくなっていると判断したら、対応サイズ紙補給要求の表示を図１２に示すようにウインドウ表示し（２）、その状態で当該ジョブの処理を停止する（３）。
【０１１３】
次いで、コントローラ１２３は、当該ジョブの処理を止めた後、現在のシステムのモード設定状態が動作可能ジョブ優先モード設定中であるかどうかの判断し（４）、動作可能ジョブ優先モードがあらかじめＯＣＵ３から指定されていないと判断した場合には、ステップ（９）へ移り、用紙補給待ちとなる。
【０１１４】
一方、ステップ（４）で動作可能ジョブ優先モードがＯＣＵ３から指定されていると判断した場合には、他のジョブで他の給紙トレイ上の紙のサイズおよび空いている紙パス，排紙トレイで処理可能なジョブがＰＢＭ１５内にあるかどうかを判断し（５）、ＮＯ、すなわち、他のジョブが処理可能でないと判断した場合には、ステップ（９）へ移り、転写紙収納トレイ４０１の用紙補給待ちとなる。
【０１１５】
一方、ステップ（５）で他のジョブが処理可能であると判断した場合には、動作可能ジョブを処理する（６）。
【０１１６】
次いで、他のジョブの処理が終了された後、停止しているジョブに必要なサイズ紙が補給されているかを判断し（７）、補給されていると判断した場合には、現在動作中のジョブの終了後に最初のジョブの処理を再開し（８）、通常の処理に復帰する。
【０１１７】
一方、ステップ（７）で補給されていないと判断した場合には、ステップ（５）へ戻り、上記の他のジョブ転写紙収納トレイ４０１上のサイズ紙および空いている紙パスで動作可能なものがＰＢＭ１５内にあるかどうかを判断する。
【０１１８】
これにより、システム内で処理しているジョブに対して消耗部材の補給または指定されたサイズの用紙切れ等が発生した場合には、先行できるジョブが記憶されている場合には、ジョブ処理順序を変更して処理することができる。従って、システムの状態に応じて柔軟に対処しながら画像処理効率を格段に向上させることができる。
【０１１９】
〔第２実施形態〕
次に、図１４，図１５を参照して本発明に係る画像処理装置の第２のジョブ処理動作について説明する。
【０１２０】
図１４は、図１に示したＯＣＵ３に表示されるジョブ処理順序変更指示画面の一例を示す図である。
【０１２１】
この図に示すように、ＯＣＵ３上にテープの要求ウインドウ２１００１が表示される。確認の意味であるＯＫボタン２１００３位置に触れることにより、要求ウインドウ（２１００１）は消去され、テープ補給位置表示ウインドウ２１００２が表示される。ユーザはこのウインドウ内のテープ補給位置２１００４に対応した位置にテープを補給することになる。
【０１２２】
図１５は、本発明に係る画像処理装置の第２のジョブ処理手順の一例を示すフローチャートである。なお、（１）〜（９）は各ステップを示し、例えば製本装置７の製本テープ不足時の処理に対応する。
【０１２３】
まず、コントローラ１２３は、動作中および動作開始時に製本装置７の製本テープ有無をシステム情報７００１の監視状態から判定し（１）、ＮＯならばそのまま待機し、ＹＥＳ、すなわち、製本テープがなくなったと判定した場合には、製本テープ補給要求の表示を図１４に示すようにウインドウ表示し（２）、製本する転写紙がすべて整合トレイ上に積載・整合されるまで動作させ、ジョブを停止させる（３）。
【０１２４】
次いで、当該ジョブの処理を止めた後、現在のシステムが動作可能ジョブ優先モードが指定されているかどうか判断し（４）、動作可能ジョブ優先モードがあらかじめＯＣＵ３から指定されていないと判断した場合は、ステップ（９）へ進み製本テープ補給待ちとなる。
【０１２５】
一方、ステップ（４）で動作可能ジョブ優先モードがＯＣＵ３から指定されていると判断した場合には、他のジョブで空いている紙パス，排紙トレイで処理可能なものがＰＢＭ１５内にあるかを判断し（５）、処理が可能な他のジョブが動作可能でないと判断した場合には、ステップ（９）へ進み、製本テープ補給待ちとなる。
【０１２６】
一方、ステップ（５）で他のジョブが処理可能であると判断した場合には、処理可能な他のジョブを処理する（６）。
【０１２７】
次いで、他のジョブの処理が終了された後、製本テープが補給されているかどうかを再度判断し（７）、補給されていたと判断した場合には、現在動作中のジョブの終了後に最初のジョブを再開し（８）、通常のジョブ処理モードに復帰する。
【０１２８】
一方、ステップ（７）で製本テープが補給されていないと判断した場合には、ステップ（５）へ戻り、他のジョブで空いている紙パスで動作可能なものがＰＢＭ１５内にあるかどうかの判断する。
【０１２９】
これにより、システム内で処理しているジョブに対して消耗部材の補給または指定されたサイズの用紙切れ等が発生した場合には、先行できるジョブが記憶されている場合には、ジョブ処理順序を変更して処理することができる。従って、システムの状態に応じて柔軟に対処しながら画像処理効率を格段に向上させることができる。
【０１３０】
〔第３実施形態〕
次に、図１６，図１７を参照して本発明に係る画像処理装置の第３のジョブ処理動作について説明する。
【０１３１】
図１６は、図１に示したＯＣＵ３に表示されるジョブ処理順序変更指示画面の一例を示す図である。
【０１３２】
この図に示すように、ＯＣＵ３上にジャム発生ウインドウ２２００１が表示される。確認の意味であるＯＫボタン２２００３位置に触れることにより、ジャム発生ウインドウ２２００１は消去され、ジャム位置表示ウインドウ２２００２が表示される。ユーザはこのウインドウ内のジャム位置２２００４に対応した位置のジャム処理をすることになる。
【０１３３】
図１７は、本発明に係る画像処理装置の第３のジョブ処理手順の一例を示すフローチャートである。なお、（１）〜（８）は各ステップを示し、例えば後処理装置のジャム時の処理に対応する。
【０１３４】
まず、コントローラ１２３は、動作中および動作開始時に後処理装置のジャムの発生をシステム情報７００１の監視状態から判定し（１）、ＮＯならばそのまま待機し、ＹＥＳ、すなわち、後処理装置のジャムが発生していると判断した場合には、後処理装置のジャム処理要求の表示を図１６に示すようにウインドウ表示し（２）、その状態でジョブを停止する（３）。
【０１３５】
次いで、他のジョブで空いている紙パス，排紙トレイで処理可能なものがＰＢＭ１５内にあるかどうかを判断し（４）、処理可能な他のジョブがないと判断した場合は、ステップ（８）へ移り、ジャム処理待ちとなる。
【０１３６】
一方、ステップ（４）で処理可能な他のジョブがあると判断した場合には、処理可能なジョブを処理する（５）。次いで、当該処理が終了された後、ジャム処理が終了しているかどうかを判断し（６）、ジャム処理されていたと判断した場合には、現在動作中のジョブの終了後に最初のジョブを再開し（７）、通常のジョブ処理モードに復帰する。
【０１３７】
一方、ステップ（６）でジャム処理されていないと判断した場合には、ステップ（４）へ戻り、上記の他のジョブで空いている紙パスで動作可能なものがＰＢＭ１５内にあるかどうかの判断する。
【０１３８】
これにより、システム内で処理しているジョブに対して消耗部材の補給または指定されたサイズの用紙切れ等が発生した場合には、先行できるジョブが記憶されている場合には、ジョブ処理順序を変更して処理することができる。従って、システムの状態に応じて柔軟に対処しながら画像処理効率を格段に向上させることができる。
【０１３９】
以下、本実施形態と第１７の発明の各工程との対応及びその作用について図１３，図１５，図１７等を参照して説明する。
【０１４０】
第１７の発明は、原稿画像を入力する入力手段（リーダ部２）と、前記入力手段から入力される原稿画像を画像情報としてジョブ毎に複数記憶可能な記憶手段（プリントバッファメモリ１５）と、前記記憶手段に記憶された画像情報に基づいて記録媒体に画像を出力する出力手段（プリンタ部１）とを有する画像処理装置のジョブ処理方法において、前記出力手段の画像処理状態を監視する監視工程（図１３，図１５，図１７のステップ（１））と、該監視結果に基づいて実行中のジョブを停止させる停止工程図１３，図１５，図１７のステップ（２），（３））と、該ジョブ停止時に、前記出力手段で出力可能なジョブ有無を判別する判別工程（図１３，図１５のステップ（５），図１７のステップ（４））と、該判別結果に基づいて前記記憶手段に記憶される後続のジョブを先行させる処理工程（図１３，図１５のステップ（６），図１７のステップ（５））とをコントローラ１２３がＲＯＭ等の記憶された制御プログラムに基づいて実行し、記憶された後続のジョブを遅延することなく出力させることができる。
【０１４１】
〔他の実施形態〕
本発明は、上記ジャムに限らず、図１８〜図２１に示す他のジャムにも本発明を適用することができる。
【０１４２】
図１８〜図２１は、図１に示した画像処理装置のジャム発生箇所を説明する断面図であり、図１と同一のものには同一の符号を付してある。
【０１４３】
図１８に示すように、転写紙給紙部４内の一方の転写紙収納トレイ４０１からプリンタ部１への搬送路でのジャムの発生した場合に対応し、この場合もう一方の転写紙収納トレイ４０１内の転写紙により処理できるジョブがある場合には、該ジョブを処理させるように制御してもよい。
【０１４４】
また、図１９に示すように、仕分け装置８内でのジャムが発生し、製本装置７までジャムが達しない時、仕分け装置８を使わないで処理できるジョブがある場合には、該ジョブを処理させるように制御してもよい。
【０１４５】
さらに、図２０に示すように、製本装置７内の束搬送部でのジャムが発生し、かつ、製本装置７の水平搬送部が動作可能なときで、製本せずに仕分けを行うジョブがある場合には、当該ジョブを処理させるように制御してもよい。
【０１４６】
また、図２１に示すように、仕分け装置８内の上段から８番目より下のビンへの搬送路でのジャム発生時、上段から７段目までのビンを使うジョブ、もしくは仕分け装置８を使用しないジョブがある場合には、該ジョブを処理させるように制御してもよい。
【０１４７】
なお、本発明は、複数の機器から構成されるシステムに適用しても、１つの機器からなる装置に適用してもよい。また、本発明は、システムあるいは装置にプログラムを供給することによって達成される場合にも適用できることは言うまでもない。この場合、本発明を達成するためのソフトウエアによって表されるプログラムを格納した記憶媒体を該システムあるいは装置に読み出すことによって、そのシステムあるいは装置が、本発明の効果を享受することが可能となる。
【０１４８】
さらに、本発明を達成するためのソフトウエアによって表されるプログラムをネットワーク上のデータベースから通信プログラムによりダウンロードして読み出すことによって、そのシステムあるいは装置が、本発明の効果を享受することが可能となる。
【０１４９】
【発明の効果】
以上説明したように、本発明に係る第１の発明によれば、前記出力手段の障害状態を監視する監視手段の監視結果に基づいて制御手段が実行中のジョブを停止させ、前記管理手段に管理される出力順序を一時的に変更して前記出力手段で出力可能なジョブを前記出力手段に出力するとともに前記出力可能なジョブの出力完了に応じて前記監視手段による監視に基づき停止させたジョブの出力の可否を判定し、出力可能であれば出力を行わせ、前記監視手段の監視結果に基づき前記制御手段によりジョブが停止された理由及び前記障害状態の回復手順を表示するので、記憶された後続のジョブを遅延することなく出力させることができる。
【０１５０】
第２の発明によれば、前記指定手段により前記優先モードが指定されている場合に、前記制御手段が前記管理手段に管理される出力順序を一時的に変更して前記出力手段で出力可能なジョブを前記出力手段に出力するので、優先モードを指定した場合に、ユーザが意図する記憶された後続のジョブを遅延することなく出力させることができる。
【０１５１】
第３の発明によれば、複数のユニットを組合せてシステム接続可能とする前記出力手段で出力可能なジョブを出力するので、各ユニットの組合せで可能なジョブを出力させることができる。
【０１５２】
第４の発明によれば、前記監視手段は、各ユニットの動作状態を監視するので、ジョブを停止させる要因となるユニットと他のジョブを出力させることが可能なユニットとを識別することができる。
【０１５３】
第５の発明によれば、前記複数のユニットのいずれか１つは記録媒体を搬送するための搬送経路を複数備える給紙ユニットとするので、いずれかの給紙ユニットに給送不能となる要因が発生しても、他の給紙ユニットから他のジョブが要求する記録媒体を給送することができる。
【０１５４】
第６の発明によれば、前記複数のユニットのいずれか１つは画像処理された記録媒体に所定の後処理を行うための搬送経路を複数備える後処理ユニットとするので、後処理不能となる要因が発生しても、後処理無しとする他のジョブの要求を先行して処理させることができる。
【０１５５】
第７の発明によれば、前記後処理ユニットは、画像処理された記録媒体にステイプル処理を行うので、ステイプル処理が不能となる要因が発生しても、ステイプル処理無しとする他のジョブの要求を先行して処理させることができる。
【０１５６】
第８の発明によれば、前記後処理ユニットは、画像処理された記録媒体を綴じ込む製本処理を行うので、製本処理が不能となる要因が発生しても、製本処理無しとする他のジョブの要求を先行して処理させることができる。
【０１５７】
第９の発明によれば、前記後処理ユニットは、画像処理された記録媒体を仕分けるソータ処理を行うので、ソータ処理が不能となる要因が発生しても、ソータ処理無しとする他のジョブの要求を先行して処理させることができる。
【０１５８】
第１０の発明によれば、前記後処理ユニットは、画像処理された記録媒体を折る処理を行うので、折り処理不能となる要因が発生しても、折り処理無しとする他のジョブの要求を先行して処理させることができる。
【０１５９】
第１１の発明によれば、前記後処理ユニットは、画像処理された記録媒体を積載する処理を行うので、記録媒体を積載する処理が不能となる要因が発生しても、記録媒体を積載する処理無しとする他のジョブの要求を先行して処理させることができる。
【０１６０】
第１２の発明によれば、前記制御手段は、前記監視手段の監視結果に基づいて実行中のジョブを停止させ、前記記憶手段に最大空き領域を確保可能なジョブを優先出力するように前記管理手段に管理される出力順序を一時的に変更するので、記憶された後続するジョブを遅延することなく出力するとともに、後続するジョブの入力要求を受け付けることができる。
【０１６１】
第１３の発明によれば、前記監視手段は、前記出力装置の搬送経路上における記録媒体の搬送ジャムを監視するので、搬送ジャムによりジョブが停止しても、他のジョブの出力するための搬送経路の有無を判別することができる。
【０１６２】
第１４の発明によれば、前記監視手段は、前記出力装置内の消耗材切れ状態を監視するので、補給可能な消耗材切れに基づいてジョブが停止しても、消耗材を使用しない他のジョブの有無を判別することができる。
【０１６３】
第１５の発明によれば、前記監視手段は、指定されたサイズの記録媒体有無を監視するので、指定されたサイズの記録媒体切れによりジョブが停止しても、当該指定サイズとは異なるサイズを指定して給送可能な他のジョブの有無を判別することができる。
【０１６４】
第１６の発明によれば、前記監視手段は、前記出力装置内に積載不可能状態を監視するので、記録媒体を積載場所に積載不可能によりジョブが停止しても、当該積載場所とは異なる積載場所を指定して積載可能な他のジョブの有無を判別することができる。
【０１６５】
第１７の発明によれば、前記出力手段の障害状態を監視し、該監視結果に基づいて実行中のジョブを停止させ、該ジョブ停止時に、前記出力手段で出力可能なジョブ有無を判別し、該判別結果に基づいて前記記憶手段に記憶される後続のジョブを先行させ、ジョブを停止させた場合、この停止の理由及び前記障害状態の回復手順を表示手段に表示させ、前記先行させたジョブの出力完了に応じて前記停止させたジョブの出力の可否を判定し、出力可能であれば出力を行わせるので、記憶された後続のジョブを遅延することなく出力させることができる。
【０１６６】
従って、ジョブ停止時の出力資源を使用して出力可能に蓄積されているジョブを遅延することなく出力してジョブ処理効率を格段に向上できる等の効果を奏する。
【図面の簡単な説明】
【図１】本実施形態の第１実施形態を示す複合画像処理システムの構成を説明する概略断面図である。
【図２】図１に示したリーダ部の構成を説明する断面図である。
【図３】図２に示したＡＤＦの両面原稿読取り時の搬送経路を示す模式図である。
【図４】図１に示したリーダ部の画像処理部の構成を説明するブロック図である。
【図５】図１に示したリーダ部の画像処理部による画像処理例を示す図である。
【図６】図１に示したリーダ部の画像処理部による画像処理例を示す図である。
【図７】図４に示した画像処理部から出力される黒画像データ，赤画像データを蓄えるプリンタバッファメモリの構成を説明するブロック図である。
【図８】図７に示したメモリ部のメモリマップを説明する図である。
【図９】図１に示した製本装置の構成を説明する断面図である。
【図１０】図１に示した仕分け装置の構成を説明する断面図である。
【図１１】図７に示したプリンタバッファメモリのメモリアクセス制御回路の一例を示す要部ブロック図である。
【図１２】図１に示したＯＣＵに表示されるジョブ処理順序変更指示画面の一例を示す図である。
【図１３】本発明に係る画像処理装置の第１のジョブ処理手順の一例を示すフローチャートである。
【図１４】図１に示したＯＣＵに表示されるジョブ処理順序変更指示画面の一例を示す図である。
【図１５】本発明に係る画像処理装置の第２のジョブ処理手順の一例を示すフローチャートである。
【図１６】図１に示したＯＣＵに表示されるジョブ処理順序変更指示画面の一例を示す図である。
【図１７】本発明に係る画像処理装置の第３のジョブ処理手順の一例を示すフローチャートである。
【図１８】図１に示した画像処理装置のジャム発生箇所を説明する断面図である。
【図１９】図１に示した画像処理装置のジャム発生箇所を説明する断面図である。
【図２０】図１に示した画像処理装置のジャム発生箇所を説明する断面図である。
【図２１】図１に示した画像処理装置のジャム発生箇所を説明する断面図である。
【符号の説明】
１５  プリンタバッファメモリ（ＰＢＭ）
１２３  コントローラ
７００１  システム情報
【図１】
0003647152.tif 000002
【図２】
0003647152.tif 000003
【図３】
0003647152.tif 000004
【図４】
0003647152.tif 000005
【図５】
0003647152.tif 000006
【図６】
0003647152.tif 000007
【図７】
0003647152.tif 000008
【図８】
0003647152.tif 000009
【図９】
0003647152.tif 000010
【図１０】
0003647152.tif 000011
【図１１】
0003647152.tif 000012
【図１２】
0003647152.tif 000013
【図１３】
0003647152.tif 000014
【図１４】
0003647152.tif 000015
【図１５】
0003647152.tif 000016
【図１６】
0003647152.tif 000017
【図１７】
0003647152.tif 000018
【図１８】
0003647152.tif 000019
【図１９】
0003647152.tif 000020
【図２０】
0003647152.tif 000021
【図２１】
0003647152.tif 000022